(57)【要約】【課題】簡単な作業で迅速に屋外構造物の支持を叶える。【解決手段】屋外構造物Ｋを地面上にアンカー１を介して支持してある屋外構造物支持固定構造において、アンカー１を打ち込み式アンカーで構成し、アンカー１の上方に、屋外構造物Ｋを載置固定自在な支持部材２を設け、支持部材２とアンカー１との間に、相互が連結された状態で支持部材２の屋外構造物被載置部２Ａａ，１０ａの高さを調整自在な高さ調整機構Ｔを設けてある。【選択図】        図１
2004225496.tif 000002
【特許請求の範囲】
【請求項１】
屋外構造物を地面上にアンカーを介して支持してある屋外構造物支持固定構造であって、
前記アンカーを打ち込み式アンカーで構成し、前記アンカーの上方に、前記屋外構造物を載置固定自在な支持部材を設け、前記支持部材と前記アンカーとの間に、相互が連結された状態で前記支持部材の屋外構造物被載置部の高さを調整自在な高さ調整機構を設けてある屋外構造物支持固定構造。
【請求項２】
前記高さ調整機構は、螺進によって前記アンカーと前記支持部材との上下方向の相対位置を変更するネジ機構である請求項１に記載の屋外構造物支持固定構造。
【請求項３】
前記支持部材には、前記アンカーの頭部が収容自在な収容空間を設けてあり、その収容空間に収容された前記アンカーは、前記収容空間に充填された接着材で前記支持部材と一体化してある請求項１又は２に記載の屋外構造物支持固定構造。
【請求項４】
前記アンカーには、その頭部に雄ネジ部を設けてあり、前記支持部材には、前記雄ネジ部が螺合自在な雌ネジ部を設けてあり、前記アンカーと前記支持部材とは、両ネジ部同士を螺合させて一体化してある請求項１又は２に記載の屋外構造物支持固定構造。
【請求項５】
前記屋外構造物は、門柱である請求項１〜４の何れか一項に記載の屋外構造物支持固定構造。
【請求項６】
前記屋外構造物は、塀である請求項１〜４の何れか一項に記載の屋外構造物支持固定構造。
【請求項７】
前記屋外構造物は、床である請求項１〜４の何れか一項に記載の屋外構造物支持固定構造。
【請求項８】
地面上にアンカーを設置して、そのアンカーを介して屋外構造物を支持する屋外構造物支持固定方法であって、
前記アンカーを地面に打ち込んで定着させ、前記アンカーに前記屋外構造物を載置固定自在な支持部材を取り付け、前記支持部材の高さを調整すると共に、前記屋外構造物を前記支持部材上に載置固定する屋外構造物支持固定方法。
【発明の詳細な説明】
【０００１】
【発明の属する技術分野】
本発明は、屋外構造物（例えば、塀や門柱や浮床等）を地面上にアンカーを介して支持してある屋外構造物支持固定構造、及び、屋外構造物支持固定方法に関する。
【０００２】
【従来の技術】
従来、この種の屋外構造物支持固定構造、及び、屋外構造物支持固定方法としては、図１２に示すように、支持地盤を掘削して掘削凹部Ｇ１を形成し、その掘削凹部Ｇ１内に基礎となる基礎コンクリート部２０を設け、基礎コンクリート部２０内には基端部を定着したアンカー１を設けておき、それら基礎コンクリート部２０上に屋外構造物Ｋを配置すると共に、固定用のモルタル２１によって前記アンカー１と屋外構造物Ｋとが一体となるように固めてあるものがあった（例えば、特許文献１参照）。
【０００３】
【特許文献１】
特開平１１−８１７５０号公報（図１）
【０００４】
【発明が解決しようとする課題】
上述した従来の屋外構造物支持固定技術（構造、及び、方法）によれば、基礎コンクリート部を形成するには、前記凹部内に型枠を組み上げ、主鉄筋等の配筋を行った後、コンクリートを打設し、コンクリートが硬化して強度を発揮するまでの間、養生する必要がある。また、基礎コンクリート部を形成した後においては、上部に設置される屋外構造物を真っ直ぐに立設するために、高さ精度良く屋外構造物を配置する必要があり、モルタルの厚みを調整しながら高さ調整を行う極めて手間の掛かる作業を実施する必要があった。
即ち、従来の屋外構造物支持固定技術によれば、基礎コンクリート部の施工に手間が掛かると共に、長時間を要し、しかも、その基礎コンクリート部の硬化を待って実施される屋外構造物の設置においても、高さ調整が非常に煩雑な作業となり易く、屋外構造物設置作業全体とした工期の長大化と、それに伴うコスト増大化が問題とされている。
【０００５】
従って、本発明の目的は、上記問題点を解消し、簡単な作業で迅速に屋外構造物の支持を叶えることができる屋外構造物支持固定構造、及び、屋外構造物支持固定方法を提供するところにある。
【０００６】
【課題を解決するための手段】
請求項１の発明の特徴構成は、屋外構造物を地面上にアンカーを介して支持してある屋外構造物支持固定構造において、前記アンカーを打ち込み式アンカーで構成し、前記アンカーの上方に、前記屋外構造物を載置固定自在な支持部材を設け、前記支持部材と前記アンカーとの間に、相互が連結された状態で前記支持部材の屋外構造物被載置部の高さを調整自在な高さ調整機構を設けてあるところにある。
【０００７】
請求項１の発明の特徴構成によれば、打ち込み式アンカーを用いて、手軽に、且つ、迅速に基礎部分を構成することが可能となる。そして、アンカーを打ち込んだ瞬間から、その上に載置される支持部材や屋外構造物の設置作業を実施することが可能となり、従来のように、養生時間を確保する必要が無くなり、飛躍的に工期短縮を図ることが可能となる。そして、屋外構造物の支持高さの調整も、前記高さ調整機構によって実施することが出来、従来のようなモルタルの厚み調整によって実施するのに比べて、より天候に左右されずに、且つ、簡単・確実に高さ調整を行うことが可能となる。従って、従来であれば、養生の期間や、天候が悪い場合には、作業を実施することが出来なかったが、手待ちのない状態で、迅速に継続して作業を進めることが出来、全体工程の短縮、及び、コスト低減を叶えることが可能となる。
【０００８】
請求項２の発明の特徴構成は、前記高さ調整機構は、螺進によって前記アンカーと前記支持部材との上下方向の相対位置を変更するネジ機構であるところにある。
【０００９】
請求項２の発明の特徴構成によれば、請求項１の発明による作用効果を叶えることができるのに加えて、構造は簡単で、部品製作を簡単に実施でき、材料コストの低減化を図ることが出来る。そして、微量の高さ調整をも手間を掛けずに簡単に実施でき、屋外構造物設置作業の効率向上を叶えることが可能となる。
【００１０】
請求項３の発明の特徴構成は、前記支持部材には、前記アンカーの頭部が収容自在な収容空間を設けてあり、その収容空間に収容された前記アンカーは、前記収容空間に充填された接着材で前記支持部材と一体化してあるところにある。
【００１１】
請求項３の発明の特徴構成によれば、請求項１又は２の発明による作用効果を叶えることができるのに加えて、収容空間内でアンカーの位置の自由性が高いから、例えば、アンカーの設置精度が低かったにしても、収容空間内でのアンカーの位置調整を行うことで、精度を補正することができ、より現場的である。
【００１２】
請求項４の発明の特徴構成は、前記アンカーには、その頭部に雄ネジ部を設けてあり、前記支持部材には、前記雄ネジ部が螺合自在な雌ネジ部を設けてあり、前記アンカーと前記支持部材とは、両ネジ部同士を螺合させて一体化してあるところにある。
【００１３】
請求項４の発明の特徴構成によれば、請求項１又は２の何れかの発明による作用効果を叶えることができるのに加えて、アンカーに直に支持部材を螺合させることができるので、余分な部品を使用せずに、屋外構造物の支持高さ調整を実施できるようになった。その結果、支持部材としてシンプル構造を採用でき、部品のコストダウンを図ることが可能となる。
【００１４】
請求項５の発明の特徴構成は、前記屋外構造物は、門柱であるところにある。
【００１５】
請求項５の発明の特徴構成によれば、請求項１〜４の何れかの発明による作用効果を門柱において叶えることができ、しかも、転倒防止のために従来のように深い基礎コンクリート部を形成するために、深く支持地盤を掘削する必要が無く、アンカーを打ち込むだけで転倒防止をしながら、より効率よく門柱を形成することが可能となる。
【００１６】
請求項６の発明の特徴構成は、前記屋外構造物は、塀であるところにある。
【００１７】
請求項６の発明の特徴構成によれば、請求項１〜４の何れかの発明による作用効果を塀において叶えることができ、前記門柱と同様に、より効率よく塀を形成することが可能となる。
【００１８】
請求項７の発明の特徴構成は、前記屋外構造物は、床であるところにある。
【００１９】
請求項７の発明の特徴構成によれば、請求項１〜４の何れかの発明による作用効果を床において叶えることができ、つまり、床面が広い面積であっても、床面全体の高さレベルを簡単に短時間でそろえることができ、より効率よく床を形成することが可能となる。
【００２０】
請求項８の発明の特徴手段は、地面上にアンカーを設置して、そのアンカーを介して屋外構造物を支持する屋外構造物支持固定方法において、前記アンカーを地面に打ち込んで定着させ、前記アンカーに前記屋外構造物を載置固定自在な支持部材を取り付け、前記支持部材の高さを調整すると共に、前記屋外構造物を前記支持部材上に載置固定するところにある。
【００２１】
請求項８の発明の特徴手段によれば、打ち込み式アンカーを用いて、手軽に、且つ、迅速に基礎部分を構成することが可能となる。そして、アンカーを打ち込んだ瞬間から、その上に載置される支持部材や屋外構造物の設置作業を実施することが可能となり、従来のように、養生時間を確保する必要が無くなり、飛躍的に工期短縮を図ることが可能となる。そして、屋外構造物の支持高さの調整も、従来のようなモルタルの厚み調整によって実施するのに比べて、本件のように、支持部材によって簡単に実施でき、より天候に左右されずに、且つ、簡単・確実に高さ調整を行うことが可能となる。従って、従来であれば、養生の期間や、天候が悪い場合には、作業を実施することが出来なかったが、手待ちのない状態で、迅速に継続して作業を進めることが出来、全体工程の短縮、及び、コスト低減を叶えることが可能となる。
【００２２】
【発明の実施の形態】
以下に本発明の実施の形態を図面に基づいて説明する。尚、図面において従来例と同一の符号で表示した部分は、同一又は相当の部分を示している。
【００２３】
〔第一実施形態〕
図１、図２は、本発明に関わる第一実施形態を示すもので、屋外構造物Ｋの一例である門柱Ｋ１を、支持固定してある状況を示すものである。
【００２４】
前記門柱Ｋ１は、地盤Ｇに対してアンカー１、及び、支持部材２を介して立設状態に支持固定してある。
【００２５】
前記門柱Ｋ１そのものの構造は、図２に示すように、前記支持部材２上面に設置される基板部３と、その基板部３上に積み重なる状態に設置される複数の柱本体４と、上端部に設置される傘部５とを設けて構成してある。当該実施形態においては、前記基板部３、柱本体４、傘部５共に、天然石材によって構成されている。
【００２６】
前記基板部３は、図３に示すように、矩形形状の平板で、四隅の部分には、前記支持部材２との連結ボルトＢ１を挿通自在な複数のボルト孔３ａをそれぞれ形成してある。このボルト孔３ａの下方に前記支持部材２が配置されている。また、ボルト孔３ａの近傍には、前記柱本体との連結用ピアノ線Ｐを挿通自在な挿通孔３ｂを形成してある。
【００２７】
前記柱本体４は、図４に示すように、四角筒形状に形成してあり、上下に隣接する各柱本体４どうしの合わせ部分４ａは、ホゾ組形状に形成してあって、相互が横ずれするのを防止できるように構成されている。また、前記基板部３上に各柱本体４を積み重ねた状態での前記基板部３の挿通孔３ｂに対応する上方位置には、上下に貫通する挿通孔４ｂが形成してある。そして、基板部３の上面に柱本体４を順次重ねた状態で、基板部３の挿通孔３ｂ、及び、各柱本体４の挿通孔４ｂにわたって前記ピアノ線Ｐを挿通させて、両端部から基板部３及び各柱本体４とを締め付けるように張力を作用させた状態に定着することによって、プレストレスが作用し、一体性の高い柱本体４を、効率よく迅速に形成することが可能となる。尚、プレストレスの作用時には、前記各柱本体４どうしの合わせ部分４ａの嵌合作用により、各柱本体４どうしの横ずれを防止できるから、門柱Ｋ１としての座屈防止にも寄与しており、より効率よくプレストレスが作用できる環境を整えている。
【００２８】
前記傘部５は、図２に示すように、扁平な略四角錐形状に形成してあり、前記上端部の柱本体４上に嵌合自在に構成してある。そして、平面的には、柱本体４の外径寸法より夫々の辺がやや大きめに形成してあり、前記柱本体４上で、正に傘の役目を担っている。柱本体４と傘部５とは、例えば、モルタルや樹脂系接着剤等によって固着することができる。
【００２９】
前記アンカー１は、図５に示すように、先端側が螺旋形状の金属棒で構成してあり、先端は鋭利に形成してある。そして、このアンカー１を地盤Ｇに対して打ち込むことで、螺旋に沿って回転しながら進入して定着させることができる。即ち、アンカー１の螺旋形が地盤との抵抗となり、大きな抵抗力（引抜抵抗力・押込抵抗力）を発揮することが可能となる所謂「打ち込み式アンカー」として構成してある。
尚、アンカー１の設置に関しては、上述のように、単に地盤に打ち込むだけでアンカーとして使用することでもよいが、より大きな抵抗力を発揮させるには、例えば、地盤Ｇに打ち込んだ後、一度、引き抜いて、形成されたアンカー穴６にモルタル等の硬化性の充填材７を充填した後、再度、アンカー１を打ち込むか、若しくは、打ち込んだアンカー１を螺旋の進入方向とは逆方向に回転させながら、前記充填材を注入することで、アンカー１の周りに前記充填材が充填する現象を利用すれば、より強力に定着力を確保することが可能となる。勿論、予め、アンカー１より大径のアンカー穴６を予め地盤に形成した状態で、そのアンカー穴６に硬化性の充填材７を充填すると共にアンカー１を挿入して一体的に硬化させる方法でアンカーを定着させてもよい。
また、アンカー１の設置対象地盤Ｇは、図に示すように、予め、浅く掘り下げておき、その掘削凹部Ｇ１内に、前記アンカー１、支持部材２、門柱Ｋ１を設置し終わった後、土を埋め戻すことで、前記支持部材２が隠れ、地上には、門柱Ｋ１のみが露出する納まりとすることができる。
そして、アンカー１の上端部は、前記掘削凹部Ｇ１から突出する状態に設置してあり、この突出部分１ａが、前記支持部材２との連結部となる。
【００３０】
前記支持部材２は、図５、図６に示すように、上下端部に、それぞれ鍔部を備えた合成樹脂製の円筒部材で構成してある。
詳しくは、互いに螺合自在な上筒２Ａと、下筒２Ｂとで構成してあり、上筒２Ａの上端部に形成された上鍔部（屋外構造物被載置部に相当）２Ａａには、前記基板部３が載置した状態で支持固定されている。固定は、基板部３のボルト孔３ａに対応するボルト孔８が上鍔部２Ａａにそれぞれ形成してあり、それら両ボルト孔３ａ，８に前記連結ボルトＢ１を挿通させてボルト連結してある。
一方、下筒２Ｂの下端部に形成してある下鍔部２Ｂａは、前記掘削凹部Ｇ１上に載置されている。
また、上筒２Ａと下筒２Ｂとは、上筒２Ａの下端部内周に形成された雌ネジ部２Ａｂと、下筒２Ｂの上端部外周に形成された雄ネジ部２Ｂｂとの螺合によって連結されている。そして、この両ネジ部どうしの螺合の度合いを調整することによって、支持部材２の長さを大きくしたり小さくしたり調整することが出来る。即ち、両ネジ部２Ａｂ，２Ｂｂによって門柱Ｋ１の支持高さを調整することが出来、これらによって高さ調整機構Ｔが構成されている。
また、下筒２Ｂには、前記高さ調整機構Ｔによって支持高さ調整をした状態の両筒の相対位置を固定するためのロックナットＲを外嵌させてある。ロックナットＲを、上筒２Ａに当接するまで締め上げることでロック状態となる。
尚、前記下筒２Ｂの内径寸法は、前記アンカー１の外形寸法より余裕を設けて寸法設定してある。即ち、前記アンカー１の打設位置が所定の平面位置より多少ずれたり、鉛直制度が多少低かったにしても、前記下筒２Ｂの内空部（収容空間に相当）２Ｂｃの前記余裕によって、それらの誤差を吸収した状態に支持部材２を設置できるようにしてある訳である。また、アンカー１と支持部材２との連結は、前記下筒２Ｂの内空部２Ｂｃにモルタル等の硬化性の接着材９を充填して、その接着材９の硬化によって実施されている。
【００３１】
次に、前記門柱Ｋ１の支持固定についてその手順を説明する
［１］  地盤Ｇの門柱設置部分を掘削し、掘削凹部Ｇ１を形成する。
［２］  掘削凹部Ｇ１の所定位置に、アンカー１をそれぞれ打ち込む。尚、地盤状況や門柱Ｋ１の規模等に応じて、前記充填材７を用いたアンカー１の固定を行うこともある。
［３］  アンカー１の突出部分１ａに内空部２Ｂｃが被さるように支持部材２を配置し、支持部材２の平面位置合わせ、及び、高さ調整を行い、位置が決まったらロックナットＲで両筒２Ａ，２Ｂをロックすると共に、上筒２Ａの上開口から前記接着材９を流し込む。
［４］  支持部材２上に基板部３を載置し、ボルト固定する。
［５］  基板部３上に順次、柱本体４を積み重ねた後、基板部３の挿通孔３ｂと各柱本体４の挿通孔４ｂとにピアノ線Ｐを挿通してプレストレスを作用させた状態で上下端部を定着させる。尚、基板部３と柱本体４との間、及び、各柱本体４どうしの合わせ部分４ａ間には、モルタル等の硬化性接着材を使用しても良い。
［６］  地盤Ｇの掘削凹部Ｇ１に土を埋め戻すと共に、門柱Ｋ１の上端部に、傘部５をモルタル等の硬化性接着材を使用して嵌合接着する。
【００３２】
本実施形態の屋外構造物支持固定構造によれば、アンカー打設の初期の工程から、最終工程に至るまで、従来で行われていたコンクリート硬化養生等の待ち時間となるものが無く、迅速に形成工事を実施することが可能となる。このことは、屋外構造物を設置するにあたり、天候に工程が左右され難いと言うメリットにつながっている。また、アンカーの設置精度が多少低い場合（図５参照）でも、その補正に手間が掛からず迅速に工事を進めることが出来る。
【００３３】
〔第二実施形態〕
図７は、本発明に関わる第二実施形態を示すもので、支持してある屋外構造物Ｋは、先の実施形態と同様の門柱Ｋ１である。
本実施形態では、支持部材２の構成が、先の実施形態と異なるものである。
【００３４】
前記支持部材２は、図８に示すように、アンカー１の突出部分１ａに螺合自在に形成された合成樹脂製の上筒１０によって構成してある。即ち、当該実施形態においては、アンカー１の突出部分１ａには、雄ネジ部１ｂが形成してある。
また、前記上筒１０の上端部にも、先の実施形態と同様の上鍔部（屋外構造物被載置部に相当）１０ａが形成してある。そして、この上鍔部１０ａには、基板部３のボルト孔３ａに対応するボルト孔８が形成してあり、両ボルト孔３ａ，８に連結ボルトＢ１を挿通させてボルト連結してある。
また、上筒１０の内周面に形成した雌ネジ部１０ｂは、前記アンカー１の雄ネジ部１ｂと螺合自在に形成してある。
【００３５】
従って、上筒１０とアンカー１とは、上筒１０の内周に形成された雌ネジ部１０ｂと、アンカー１の上端部外周に形成された雄ネジ部１ｂとの螺合によって連結されている。そして、この両ネジ部どうしの螺合の度合いを調整することによって、支持部材２の設置高さを大きくしたり小さくしたり調整することが出来る。即ち、両ネジ部１０ｂ，１ｂによって門柱Ｋ１の支持高さを調整することが出来、これらによって高さ調整機構Ｔが構成されている。
また、アンカー１には、前記高さ調整機構Ｔによって支持高さ調整をした状態の上筒の位置を固定するためのロックナットＲを外嵌させてある。ロックナットＲを、上筒１０に当接するまで締め上げることでロック状態となる。
【００３６】
次に、前記門柱Ｋ１の支持固定についてその手順を説明する
［１］  地盤Ｇの門柱設置部分を掘削し、掘削凹部Ｇ１を形成する。
［２］  掘削凹部Ｇ１の所定位置に、アンカー１をそれぞれ打ち込む。尚、地盤状況や門柱Ｋ１の規模等に応じて、前記充填材７を用いたアンカー１の固定を行うこともある。
［３］  アンカー１の突出部分１ａに上筒１０を螺合させて、高さ調整を行い、位置が決まったらロックナットＲで上筒１０とアンカー１とをロックする
［４］  支持部材２上に基板部３を載置し、ボルト固定する。
［５］  基板部３上に順次、柱本体４を積み重ねた後、基板部３の挿通孔３ｂと各柱本体４の挿通孔４ｂとにピアノ線Ｐを挿通してプレストレスを作用させた状態で上下端部を定着させる。尚、基板部３と柱本体４との間、及び、各柱本体４どうしの合わせ部分４ａ間には、モルタル等の硬化性接着材を使用しても良い。
［６］  地盤Ｇの掘削凹部Ｇ１に土を埋め戻すと共に、門柱Ｋ１の上端部に、傘部５をモルタル等の硬化性接着材を使用して嵌合接着する。
【００３７】
本実施形態の屋外構造物支持固定構造によれば、アンカー打設の初期の工程から、最終工程に至るまで、従来で行われていたコンクリート硬化養生等の待ち時間となるものが無く、迅速に形成工事を実施することが可能となる。このことは、屋外構造物を設置するにあたり、天候に工程が左右され難いと言うメリットにつながっている。また、支持部材そのものを、単純な構成にすることで、取扱性や施工性の向上によって、より迅速な工事が可能となると共に、部材コストの低減化を図ることが可能となる。
【００３８】
〔別実施形態〕
以下に他の実施の形態を説明する。
【００３９】
〈１〉  前記屋外構造物Ｋは、先の実施形態で説明した門柱Ｋ１に限るものではなく、例えば、図９に示すように、塀Ｋ２であったり、図１０、図１１に示すように、玄関ポーチＫ３、又は、他の屋外の構造物であってもよく、それらを含めて屋外構造物Ｋと総称する。
そして、屋外構造物Ｋの構造は、先の実施形態で説明したように、筒形状の本体をピアノ線で連結したものに限らず、例えば、ブロックや煉瓦、又は、一体に形成されたユニット等で本体を構成するものであってもよい。また、それらの連結は、ピアノ線に限らず、モルタル等の硬化性接着材によって実施するものであってもよい。
また、屋外構造物Ｋは、先の実施形態で説明したように、基板部３、柱本体４、傘部５を構造材として構成してあるものに限らず、図９に示すように、フレーム材ｆを組み合わせて下地Ｆを形成し、その下地Ｆに化粧板１１を取り付けて構成するもの、又は、図１０、図１１に示すように、一体に形成されたユニットをそのまま支持部材２で支持するような構成であってもよい。
また、屋外構造物の形成材料は、先の実施形態で説明した石材によるものに限らず、例えば、コンクリート製品や、セラミックスや、金属、木材、合成樹脂、又は、それらの組み合わせ等であっても良い。
〈２〉  前記支持部材２は、先の実施形態で説明したような合成樹脂製のものに限るものではなく、例えば、金属製であってもよい。また、先の第一、第二実施形態で説明した形状のものに限るものではなく、変形することも可能である。
要するに、前記アンカーの上方にあって前記屋外構造物Ｋを載置固定自在なものであればよい。また、前記アンカー１との間に、相互が連結された状態で屋外構造物被載置部２Ａａ，１０ａの高さを調整自在な高さ調整機構Ｔを内蔵していれば、なお好ましい。それらを総称して、支持部材２と言う。
〈３〉  前記アンカー１は、先の実施形態で説明した螺旋形状のものに限るものではなく、直線状のものや、外周面に螺旋溝や、螺旋突起を形成してあるものであってもよい。また、突出部分１ａは、上筒と螺合させない形態を採用するときには、接着材９との付着力を増強するために、平滑面であるよりは抵抗となる突起や突条を形成してあるのが好ましい。
【００４０】
尚、上述のように、図面との対照を便利にするために符号を記したが、該記入により本発明は添付図面の構成に限定されるものではない。
【図面の簡単な説明】
【図１】第一実施形態の門柱の設置状況を示す斜視図
【図２】第一実施形態の門柱の設置状況を示す側面視断面図
【図３】第一実施形態の支持部材の設置状況を示す要部分解斜視図
【図４】第一実施形態の門柱の組立状況を示す要部斜視図
【図５】第一実施形態の支持部材の設置状況を示す断面詳細図
【図６】第一実施形態の支持部材を示す分解斜視図
【図７】第二実施形態の門柱の設置状況を示す側面視断面図
【図８】別実施形態の支持部材の設置状況を示す断面詳細図
【図９】別実施形態の屋外構造物の設置状況を示す断面図
【図１０】別実施形態の屋外構造物の設置状況を示す断面図
【図１１】別実施形態の屋外構造物の設置状況を示す断面図
【図１２】従来例の屋外構造物の設置状況を示す説明図
【符号の説明】
１      アンカー
１ｂ    雄ネジ部
２      支持部材
２Ａａ  上鍔部（屋外構造物被載置部に相当）
２Ｂｃ  内空部（収容空間に相当）
９      接着材
１０ａ  上鍔部（屋外構造物被載置部に相当）
１０ｂ  雌ネジ部
Ｋ      屋外構造物
Ｔ      高さ調整機構
【図１】
2004225496.tif 000003
【図２】
2004225496.tif 000004
【図３】
2004225496.tif 000005
【図４】
2004225496.tif 000006
【図５】
2004225496.tif 000007
【図６】
2004225496.tif 000008
【図７】
2004225496.tif 000009
【図８】
2004225496.tif 000010
【図９】
2004225496.tif 000011
【図１０】
2004225496.tif 000012
【図１１】
2004225496.tif 000013
【図１２】
2004225496.tif 000014